(57)【特許請求の範囲】
【請求項１】
生徒用端末と、教師用端末と、視聴者用端末と、運営者用端末と、を有して構成された授業視聴料分配システムであって、
前記運営者用端末は、
前記生徒用端末を使用した生徒と前記教師用端末を使用した教師との間で行われる授業の映像または音声と、複数種類のデータテーブルを少なくとも記憶する記憶手段と、
視聴を希望する前記授業を視聴者に選択させて当該授業の情報を前記視聴者用端末から取得する授業選択手段と、
前記視聴者によって選択された前記授業の映像または音声を前記記憶手段から読み出して前記視聴者用端末に向けて配信するための授業配信手段と、
前記視聴者による前記授業に登場する教師または生徒に対する評価情報を前記視聴者用端末から取得して前記データテーブルに記憶する評価情報取得手段と、
前記データテーブルに記憶した前記評価情報に基づいて前記授業の視聴料の分配比率を決定し、当該分配比率に従って前記授業に登場する教師または生徒に前記視聴料の一部を支払うことが可能な視聴料分配手段と、を有して構成され、
前記視聴料分配手段は、前記視聴者の前記教師に対する評価情報に基づいて該教師に対する前記視聴料の分配比率を決定し、または、前記視聴者の前記生徒に対する評価情報に基づいて該生徒に対する前記視聴料の分配比率を決定するように構成されている、
ことを特徴とする授業視聴料分配システム。
【請求項２】
請求項１に記載の授業視聴料分配システムにおいて、
前記視聴料分配手段は、前記教師に対する評価情報が所定の評価情報を下回った場合に、該教師に対する前記分配比率を０に決定する、または、前記生徒に対する評価情報が所定の評価情報を下回った場合に、該生徒に対する前記分配比率を０に決定する、
ことを特徴とする授業視聴料分配システム。
【請求項３】
請求項１または２に記載の授業視聴料分配システムにおいて、
前記教師に対する評価情報が所定の評価情報を下回った場合に、該教師が使用する教師用端末に向けて警告を送信する、または、前記生徒に対する評価情報が所定の評価情報を下回った場合に、該生徒が使用する生徒用端末に向けて警告を送信する警告送信手段を備える、
ことを特徴とする授業視聴料分配システム。
【発明の詳細な説明】
【技術分野】
【０００１】
本発明は、各種授業の映像や音声を視聴者に配信するとともに、当該授業の視聴料を視聴者の評価に基づいて分配する授業視聴料分配システムに関する。
【背景技術】
【０００２】
従来、教師や講師に対する報酬を適正化するシステムの一つとして、認定講師が実施した講習会の受講者のアンケートの回答を回収した上で、当該回答に基づいて認定講師に対応するランクを決定する外部講師派遣システムが提案されている（例えば、特許文献１参照）。
【先行技術文献】
【特許文献】
【０００３】
【特許文献１】特開２００２−１５７４４６号公報
【発明の概要】
【発明が解決しようとする課題】
【０００４】
しかしながら、上記特許文献１記載のシステムでは、教師や講師に対する報酬を適正化することは可能であるものの、ランクが高い教師や講師に対しては、生徒は依然として高額な授業料を支払う必要があり、生徒の経済的負担が大きいといった問題点がある。
【０００５】
また、高額な授業料を支払うことができる家庭は極めて限られるため、生徒数が伸び悩み、教育産業の市場規模の拡大が阻害される結果、教育産業における教師数が伸び悩むといった悪循環に陥っているのが実情である。
【０００６】
本発明は、このような従来の問題点を解決するためになされたものであって、システムの運営者のみならず教師や生徒に対しても視聴料を分配することが可能で、教師と生徒の両方にメリットを与えることができ、教師や生徒の利用者数を増加させることが容易で、システムの運営者の収益をも高めることができる授業視聴料分配システムを提供することを目的とする。
【課題を解決するための手段】
【０００７】
本発明は、視聴を希望する授業を視聴者に選択させるための授業選択手段と、前記視聴者によって選択された前記授業の映像または音声を視聴者用端末に向けて配信するための授業配信手段と、前記視聴者による前記授業に対する評価情報を取得するための評価情報取得手段と、前記視聴者用端末から取得した前記評価情報に基づいて、前記授業に登場する教師または生徒に前記授業の視聴料を分配するための視聴料分配手段と、を有して構成され、前記視聴料分配手段は、前記視聴者の前記教師に対する評価情報に基づいて前記視聴料の一部を該教師に分配し、または、前記視聴者の前記生徒に対する評価情報に基づいて前記視聴料の一部を該生徒に分配するように構成されている、ことを特徴とする授業視聴料分配システムである。
【発明の効果】
【０００８】
本発明に係る授業視聴料分配システムによれば、システムの運営者のみならず教師や生徒に対しても視聴料を分配することが可能で、教師と生徒の両方にメリットを与えることができ、教師や生徒の利用者数を増加させることが容易で、システムの運営者の収益をも高めることができるという優れた効果を奏し得る。
【図面の簡単な説明】
【０００９】
【図１】本実施形態に係る授業視聴料分配システム１０の全体構成の一例を示した図である。
【図２】（ａ）授業情報テーブルの一例を示した図である。（ｂ）教師情報テーブルの一例を示した図である。（ｃ）生徒情報テーブルの一例を示した図である。（ｄ）視聴者情報テーブルの一例を示した図である。
【図３】授業選択手段２４によって実現されるＧＵＩの一例を示した図である。
【図４】評価情報取得手段２８によって実現されるＧＵＩの一例を示した図である。
【発明を実施するための形態】
【００１０】
以下、図面を用いて、本発明の実施形態に係る授業視聴料分配システム１０について詳細に説明する。
【００１１】
＜全体構成＞
図１は、本実施形態に係る授業視聴料分配システム１０の全体構成の一例を示した図である。本実施形態に係る授業視聴料分配システム１０は、複数の生徒用端末１４（１４Ａ，１４Ｂ，…）と、複数の教師用端末１６（１６Ａ，１６Ｂ，…）と、複数の視聴者用端末１８（１８Ａ，１８Ｂ，…）と、運営者用端末２０と、を有して構成される。また、各々の端末１４，１６，１８，２０は、インターネット１２を介して相互に通信可能に構成される。
【００１２】
なお、この例では、運営者用端末２０を１台の端末で構成したが、運営者用端末２０を複数台備えてもよいし、運営者用端末２０が有する各手段２２，２４，２６，２８，３０を複数台の端末に分散して配置してもよい。また、インターネット１２は、各々の端末１４，１６，１８，２０が相互に通信可能なものであればよく、例えば、ダイヤルアップ、ＡＤＳＬ、ＩＳＤＮ、光回線などを適用することができ、また、有線でも無線でもよい。
【００１３】
＜生徒用端末＞
次に、生徒用端末１４について説明する。生徒用端末１４は、運営者用端末２０からインターネット１２を介して提供される各種授業のサービスを受ける生徒などが使用する端末である。この生徒用端末１４は、生徒などが情報の入力を行うための入力手段（例えば、キーボードやマウスなど）と、インターネット１２を介して運営者用端末２０と相互に通信を行うための通信手段（例えば、有線ＬＡＮアダプタや無線ＬＡＮアダプタなど）と、通信手段を介して運営者用端末２０から受信した映像や音声を出力するための出力手段（例えば、液晶表示装置やスピーカなど）と、生徒の映像・音声などを撮像・収音するための撮像・収音手段（例えば、カメラ・マイクロフォンなど）などを備え、例えば、従来公知のデスクトップパソコン、ノートパソコン、サーバなどで構成される。なお、生徒用端末１４には、必要に応じ、運営者が提供または推薦するアプリケーションソフトウェアがインストールされる。
【００１４】
＜教師用端末＞
次に、教師用端末１６について説明する。教師用端末１６は、インターネット１２を介して運営者用端末２０に各種授業のサービスを提供する教師などが使用する端末である。この教師用端末１６は、教師などが情報の入力を行うための入力手段（例えば、キーボードやマウスなど）と、インターネット１２を介して運営者用端末２０と相互に通信を行うための通信手段（例えば、有線ＬＡＮアダプタや無線ＬＡＮアダプタなど）と、通信手段を介して運営者用端末２０から受信した映像や音声を出力するための出力手段（例えば、液晶表示装置やスピーカなど）と、教師の映像・音声などを撮像・収音するための撮像・収音手段（例えば、カメラ・マイクロフォンなど）などを備え、例えば、従来公知のデスクトップパソコン、ノートパソコン、サーバなどで構成される。なお、教師用端末１６には、必要に応じ、運営者が提供または推薦するアプリケーションソフトウェアがインストールされる。
【００１５】
＜視聴者用端末＞
次に、視聴者用端末１８について説明する。視聴者用端末１８は、運営者用端末２０から配信される各種授業の映像や音声を視聴する視聴者などが使用する端末である。この視聴者用端末１８は、視聴者などが情報の入力を行うための入力手段（例えば、キーボードやマウスなど）と、インターネット１２を介して運営者用端末２０と相互に通信を行うための通信手段（例えば、有線ＬＡＮアダプタや無線ＬＡＮアダプタなど）と、通信手段を介して運営者用端末２０から受信した映像や音声を出力するための出力手段（例えば、液晶表示装置やスピーカなど）などを備え、例えば、従来公知のデスクトップパソコン、ノートパソコン、サーバなどで構成される。
【００１６】
＜運営者用端末＞
次に、運営者用端末２０について説明する。運営者用端末２０は、生徒用端末１４と教師用端末１６を仲介して各種授業のサービス（例えば、ｅラーニング）を提供したり、視聴者用端末１８に各種授業の映像や音声を配信したりするための端末である。
【００１７】
この運営者用端末２０は、各種授業の映像や音声、各種データテーブルなどを記憶するための記憶手段２２と、視聴を希望する授業を視聴者に選択させるための授業選択手段２４と、視聴者によって選択された授業の映像や音声を視聴者用端末１８に向けて配信するための授業配信手段２６と、視聴者用端末１８から視聴者による授業の評価情報を取得するための評価情報取得手段２８と、視聴者用端末１８から取得した評価情報に基づいて視聴料を分配するための視聴料分配手段３０と、を有して構成されている。以下、運営者用端末２０が備える各手段について詳細に説明する。
【００１８】
＜運営者用端末／記憶手段＞
運営者用端末２０の記憶手段２２は、各種授業の映像や音声、各種データテーブルなどを記憶するための手段であり、例えば、従来公知のハードディスクやＲＡＭなどの記憶媒体で構成される。この記憶手段２２には、図２（ａ）〜（ｄ）に示すような各種データテーブルや、各種授業の映像や音声などが記憶される。
【００１９】
＜授業情報テーブル＞
図２（ａ）は、授業情報テーブルの一例を示した図である。この授業情報テーブルには、授業を識別するための授業ＩＤ情報と、授業内容を示すコンテンツ情報と、当該授業を担当する教師を識別するための教師ＩＤ情報と、当該授業を受ける生徒を識別するための生徒ＩＤ情報と、が対応付けされて記憶されている。
【００２０】
例えば、授業Ｌ１〜授業Ｌ３は、英検２級の文法（第１章）を教えている６０分の授業であり、授業Ｌ１は、教師ＩＤ情報＝Ｔ１の教師（以下、「教師Ｔ１」という場合がある）と、生徒ＩＤ情報＝Ｓ１の生徒（以下、「生徒Ｓ１」という場合がある）との授業であることを示し、授業Ｌ２は、教師ＩＤ情報＝Ｔ２の教師（以下、「教師Ｔ２」という場合がある）と、生徒ＩＤ情報＝Ｓ２の生徒（以下、「生徒Ｓ２」という場合がある）との授業であることを示し、授業Ｌ３は、教師Ｔ１と、生徒Ｓ２との授業であることを示している。
【００２１】
なお、ここでは、説明の都合上、授業Ｌ１〜授業Ｌ３の３種類のみを例示しているが、授業の種類をさらに増やしてもよいことは言うまでもなく、また、授業のコンテンツ情報も英検２級の文法（第１章）に限定されるものではない。
【００２２】
また、一つの授業ＩＤ情報に対して、教師ＩＤ情報と生徒ＩＤ情報を一つずつ対応付けして記憶しているが、例えば、一つの授業ＩＤ情報に対して、複数の生徒ＩＤ情報を対応付けして記憶してもよい。すなわち、授業は、教師一人に対して生徒が一人のマンツーマンレッスンの形式に限定されず、教師一人に対して生徒が複数のグループレッスンの形式でもよい。このようなグループレッスンの形式とすれば、一つの授業の視聴料を複数の生徒に分配することが可能となり、システムを利用する生徒数をさらに増やすことが可能となる。
【００２３】
＜教師情報テーブル＞
図２（ｂ）は、教師情報テーブルの一例を示した図である。この教師情報テーブルには、上述の教師ＩＤ情報と、教師の個人情報と、教師のログイン状態と、授業Ｌ１に対する視聴者の評価を示すＬ１評価と、授業Ｌ２に対する視聴者の評価を示すＬ２評価と、授業Ｌ３に対する視聴者の評価を示すＬ３評価と、が対応付けされて記憶されている。
【００２４】
なお、ここでは、説明の都合上、授業Ｌ１〜授業Ｌ３に対する視聴者の評価のみを例示しているが、授業の種類をさらに増やす場合には、当該授業に対応する視聴者の評価をさらに増やしてもよいことは言うまでもない（以下に説明する生徒情報テーブルと視聴者情報テーブルも同様である）。
【００２５】
教師の個人情報としては、例えば、各々の教師の氏名、住所、性別、出身地、最終学歴、教師歴などのデータや、各々の教師の顔写真の静止画データ、各々の教師の自己紹介の動画データなどが記憶される。
【００２６】
教師のログイン状態は、各々の教師が運営者用端末２０が提供するサービスにログインしているかどうかを示す情報であり、例えば、サービスにログインしている場合には「ログイン中」を示す情報が記憶され、サービスにログインしていない場合には「オフライン」を示す情報が記憶される。さらに、「授業中」を示す情報や、その時刻などの詳細情報を記憶してもよい。
【００２７】
Ｌ１評価は、授業Ｌ１に登場する教師に対する視聴者の評価を示す情報であり、この例では、授業Ｌ１を視聴した、視聴者ＩＤ情報＝Ｍ１の視聴者（以下、「視聴者Ｍ１」という場合がある）が、授業Ｌ１に登場する教師Ｔ１の評価として５を設定し（Ｍ１：５）、授業Ｌ１を視聴した、視聴者ＩＤ情報＝Ｍ２の視聴者（以下、「視聴者Ｍ２」という場合がある）が、授業Ｌ１に登場する教師Ｔ１の評価として７を設定した（Ｍ２：７）ことを示している。なお、視聴者による教師や生徒の評価方法については後述する。
【００２８】
また、ここでは、教師や生徒を１〜１０の１０段階で評価する例を示しているが、評価方法は特に限定されず、例えば、１〜５の５段階評価や、Ａ，Ｂ，Ｃの３段階評価などでもよい。すなわち、教師や生徒を客観的に評価できる何らかの指標を備えていればよい。
【００２９】
Ｌ２評価は、授業Ｌ２に登場する教師に対する視聴者の評価を示す情報であり、この例では、授業Ｌ２を視聴した視聴者Ｍ１が、授業Ｌ２に登場する教師Ｔ２の評価として７を設定し（Ｍ１：７）、授業Ｌ２を視聴した視聴者Ｍ２が、授業Ｌ２に登場する教師Ｔ２の評価として９を設定した（Ｍ２：９）ことを示している。
【００３０】
Ｌ３評価は、授業Ｌ３に登場する教師に対する視聴者の評価を示す情報であり、この例では、授業Ｌ３を視聴した視聴者Ｍ１が、授業Ｌ３に登場する教師Ｔ１の評価として２を設定し（Ｍ１：２）、授業Ｌ３を視聴した視聴者Ｍ２が、授業Ｌ３に登場する教師Ｔ１の評価として２を設定した（Ｍ２：２）ことを示している。
【００３１】
＜生徒情報テーブル＞
図２（ｃ）は、生徒情報テーブルの一例を示した図である。この生徒情報テーブルには、上述の生徒ＩＤ情報と、生徒の個人情報と、生徒のログイン状態と、授業Ｌ１に対する視聴者の評価を示すＬ１評価と、授業Ｌ２に対する視聴者の評価を示すＬ２評価と、授業Ｌ３に対する視聴者の評価を示すＬ３評価と、が対応付けされて記憶されている。
【００３２】
生徒の個人情報としては、例えば、各々の生徒の氏名、住所、性別、出身地、最終学歴、学習年数などのデータや、各々の生徒の顔写真の静止画データ、各々の生徒の自己紹介の動画データなどが記憶される。
【００３３】
生徒のログイン状態は、各々の生徒が運営者用端末２０が提供するサービスにログインしているかどうかを示す情報であり、例えば、サービスにログインしている場合には「ログイン中」を示す情報が記憶され、サービスにログインしていない場合には「オフライン」を示す情報が記憶される。さらに、「授業中」を示す情報や、その時刻などの詳細情報を記憶してもよい。
【００３４】
Ｌ１評価は、授業Ｌ１に登場する生徒に対する視聴者の評価を示す情報であり、この例では、授業Ｌ１を視聴した視聴者Ｍ１が、授業Ｌ１に登場する生徒Ｓ１の評価として４を設定し（Ｍ１：４）、授業Ｌ１を視聴した視聴者Ｍ２が、授業Ｌ１に登場する生徒Ｓ１の評価として３を設定した（Ｍ２：３）ことを示している。
【００３５】
Ｌ２評価は、授業Ｌ２に登場する生徒に対する視聴者の評価を示す情報であり、この例では、授業Ｌ２を視聴した視聴者Ｍ１が、授業Ｌ２に登場する生徒Ｓ２の評価として５を設定し（Ｍ１：５）、授業Ｌ２を視聴した視聴者Ｍ２が、授業Ｌ２に登場する生徒Ｓ２の評価として７を設定した（Ｍ２：７）ことを示している。
【００３６】
Ｌ３評価は、授業Ｌ３に登場する生徒に対する視聴者の評価を示す情報であり、この例では、授業Ｌ３を視聴した視聴者Ｍ１が、授業Ｌ３に登場する生徒Ｓ２の評価として４を設定し（Ｍ１：４）、授業Ｌ３を視聴した視聴者Ｍ２が、授業Ｌ３に登場する生徒Ｓ２の評価として３を設定した（Ｍ２：３）ことを示している。
【００３７】
＜視聴者情報テーブル＞
図２（ｄ）は、視聴者情報テーブルの一例を示した図である。この視聴者情報テーブルには、視聴者を識別するための視聴者ＩＤ情報と、視聴者の個人情報と、視聴者のログイン状態と、授業Ｌ１に対する視聴者の評価を示すＬ１評価と、授業Ｌ２に対する視聴者の評価を示すＬ２評価と、授業Ｌ３に対する視聴者の評価を示すＬ３評価と、が対応付けされて記憶されている。
【００３８】
視聴者の個人情報としては、例えば、各々の視聴者の氏名、住所、性別などのデータが記憶される。視聴者のログイン状態は、各々の視聴者が運営者用端末２０が提供するサービスにログインしているかどうかを示す情報であり、例えば、サービスにログインしている場合には「ログイン中」を示す情報が記憶され、サービスにログインしていない場合には「オフライン」を示す情報が記憶される。さらに、「視聴中」を示す情報や、その時刻などの詳細情報を記憶してもよい。
【００３９】
Ｌ１評価は、授業Ｌ１に登場する教師および生徒に対する視聴者の評価を示す情報であり、この例では、授業Ｌ１を視聴した視聴者Ｍ１が、授業Ｌ１に登場する教師Ｔ１および生徒Ｓ１の評価として、それぞれ５と４を設定し（Ｔ１：５、Ｓ１：４）、授業Ｌ１を視聴した視聴者Ｍ２が、授業Ｌ１に登場する教師Ｔ１および生徒Ｓ１の評価として、それぞれ７と３を設定した（Ｔ１：７、Ｓ１：３）ことを示している。
【００４０】
Ｌ２評価は、授業Ｌ２に登場する教師および生徒に対する視聴者の評価を示す情報であり、この例では、授業Ｌ２を視聴した視聴者Ｍ１が、授業Ｌ２に登場する教師Ｔ２および生徒Ｓ２の評価として、それぞれ７と５を設定し（Ｔ２：７、Ｓ２：５）、授業Ｌ２を視聴した視聴者Ｍ２が、授業Ｌ２に登場する教師Ｔ２および生徒Ｓ２の評価として、それぞれ９と７を設定した（Ｔ２：９、Ｓ２：７）ことを示している。
【００４１】
Ｌ３評価は、授業Ｌ３に登場する教師および生徒に対する視聴者の評価を示す情報であり、この例では、授業Ｌ３を視聴した視聴者Ｍ１が、授業Ｌ３に登場する教師Ｔ１および生徒Ｓ２の評価として、それぞれ２と４を設定し（Ｔ１：２、Ｓ２：４）、授業Ｌ３を視聴した視聴者Ｍ２が、授業Ｌ３に登場する教師Ｔ１および生徒Ｓ２の評価として、それぞれ２と３を設定した（Ｔ１：２、Ｓ２：３）ことを示している。
【００４２】
＜運営者用端末／授業選択手段＞
運営者用端末２０の授業選択手段２４は、視聴者に視聴を希望する授業を選択させ、当該選択された授業の情報を取得するための手段であり、例えば、ＨＴＭＬを用いたプログラム（アプリケーション）などで構成される。なお、授業選択手段２４を構成するプログラムの言語はＨＴＭＬに限定されず、他の言語であってもよいことは言うまでもない（他の手段も同様）。
【００４３】
図３は、授業選択手段２４によって実現されるＧＵＩの一例を示した図である。授業選択手段２４は、視聴者用端末１８からＨＴＭＬファイルの送信要求があった場合（例えば、視聴者用端末１８を利用する視聴者が、ブラウザを用いて運営者用端末２０が有する所定のＵＲＬを指定した場合）に、視聴者用端末１８に向けて、図３に示すようなＧＵＩを表示させるためのＨＴＭＬファイルを送信する。
【００４４】
この例では、視聴者によって、教育、趣味、教養などの大分類から「教育」が選択され、次に、英語、ソバ打ち、生け花などの中分類から「英語」が選択され、次に、英語検定、麺の切り方、枝の整え方などの小分類から「英語検定」が選択されたことに対応して、授業選択手段２４は、記憶手段２２に記憶している授業情報テーブル、教師情報テーブル、生徒情報テーブルを参照し、授業Ｌ１〜授業Ｌ３に関する情報をＧＵＩに表示させている。
【００４５】
具体的には、授業Ｌ１に対応する表示としては、授業情報テーブルを参照し、教師Ｔ１が生徒Ｓ１に英検２級の文法（第１章）を教えている６０分の授業であることを示すとともに、教師情報テーブルおよび生徒情報テーブルを参照し、教師Ｔ１の個人情報の一部と生徒Ｓ１の個人情報の一部を表示する。
【００４６】
また、授業Ｌ２に対応する表示としては、授業情報テーブルを参照し、教師Ｔ２が生徒Ｓ２に英検２級の文法（第１章）を教えている６０分の授業であることを示すとともに、教師情報テーブルおよび生徒情報テーブルを参照し、教師Ｔ２の個人情報の一部と生徒Ｓ２の個人情報の一部を表示する。
【００４７】
また、授業Ｌ３に対応する表示としては、授業情報テーブルを参照し、教師Ｔ１が生徒Ｓ２に英検２級の文法（第１章）を教えている６０分の授業であることを示すとともに、教師情報テーブルおよび生徒情報テーブルを参照し、教師Ｔ１の個人情報の一部と生徒Ｓ２の個人情報の一部を表示する。
【００４８】
このような表示を行うことにより、視聴者は、授業の内容と、当該授業に登場する教師や生徒のプロフィールを把握することが可能となり、自身が視聴したい授業を選択することが可能である。
【００４９】
次に、授業選択手段２４は、このようなＧＵＩを介して、視聴者用端末１８を使用する視聴者に視聴を希望する授業を選択させ、当該授業の情報を取得する。この例では、授業Ｌ１〜授業Ｌ３に対応する表示の左横にラジオボタンを設けるとともに、下方に決定ボタンを配置することによって、授業選択手段２４は、視聴者が決定ボタンを操作したときに授業Ｌ１〜授業Ｌ３のいずれが選択されたかを取得可能に構成している。ここでは、視聴者によって授業Ｌ１（教師Ｔ１、生徒Ｓ１）が選択されたものと仮定する。
【００５０】
＜運営者用端末／授業配信手段＞
運営者用端末２０の授業配信手段２６は、視聴者によって選択された授業を視聴者端末１８に向けて配信するための手段であり、例えば、ＨＴＭＬを用いたプログラム（アプリケーション）などで構成される。先の例では、視聴者によって授業Ｌ１（教師Ｔ１、生徒Ｓ１）が選択されたため、授業配信手段２６は、授業Ｌ１に対応する映像や音声を記憶手段２２から読み出して視聴者端末１８に向けて配信する。
【００５１】
このような配信を行うことにより、視聴者は、自身が選択した授業を視聴することができ、当該授業に登場する教師の評価（例えば、指導力、コミュニケーション能力などの評価）や、生徒の評価（例えば、理解力、コミュニケーション能力などの評価）を行うことが可能となる。
【００５２】
なお、視聴者用端末１８に配信する授業の映像や音声は、生徒用端末１４と教師用端末１６の間で行われた授業の映像や音声を記憶手段２２に予め記憶しておいてもよいし、生徒用端末１４と教師用端末１６の間で行われている授業（ｅラーニングなど）の映像や音声を記憶手段２２に記憶しながらリアルタイムで配信してもよい。
【００５３】
＜運営者用端末／評価情報取得手段＞
運営者用端末２０の評価情報取得手段２８は、視聴者による授業の評価情報を取得するための手段であり、例えば、ＨＴＭＬを用いたプログラム（アプリケーション）などで構成される。
【００５４】
図４は、評価情報取得手段２８によって実現されるＧＵＩの一例を示した図である。評価情報取得手段２８は、上述の授業配信手段２６による授業の配信が終了した場合に、視聴者用端末１８に向けて、図４に示すようなＧＵＩを表示させるためのＨＴＭＬファイルを送信する。
【００５５】
この例では、視聴者が選択した授業Ｌ１の配信が終了したことを契機として、評価情報取得手段２８は、記憶手段２２に記憶している授業情報テーブル、教師情報テーブル、生徒情報テーブルを参照し、授業Ｌ１に関する情報をＧＵＩに表示させている。
【００５６】
具体的には、授業Ｌ１の配信が終了したことを示す表示（この例では、「Ｍ１さま  「英検２級  文法  Ｃｈａｐ１  ６０分」の配信が終了しました。」といった文字表示）と、教師と生徒の評価を促す表示（この例では、「教師と生徒の評価を１〜１０の１０段階で入力してください。」との文字表示）と、配信が終了した授業の教師と生徒に関する表示（この例では、授業Ｌ１の教師Ｔ１および生徒Ｓ１の顔写真と個人情報の一部の表示）と、教師と生徒の評価を入力するための入力欄の表示を行っている。
【００５７】
このような表示を行うことにより、視聴者は、自身が視聴した授業に登場した教師や生徒に対する評価を行うことが可能である。
【００５８】
次に、評価情報取得手段２８は、このようなＧＵＩを介して、視聴者用端末１８を使用する視聴者に教師と生徒の評価を入力させ、当該評価の情報を取得する。この例では、教師と生徒の評価を入力するための入力欄を設けるとともに、下方に決定ボタンを配置することによって、評価情報取得手段２８は、視聴者が決定ボタンを操作したときに教師と生徒の評価を取得可能に構成している。なお、ここでは、授業Ｌ１を視聴した視聴者Ｍ１が、授業Ｌ１に登場する教師Ｔ１および生徒Ｓ１の評価として、それぞれ５と４を設定した状態を示している。
【００５９】
次に、評価情報取得手段２８は、取得した教師と生徒の評価を、教師情報テーブル、生徒情報テーブル、視聴者情報テーブルに記憶する。先の例では、視聴者Ｍ１が、授業Ｌ１に登場する教師Ｔ１および生徒Ｓ１の評価として、それぞれ５と４を設定しているため、視聴者情報テーブルの視聴者ＩＤ情報＝Ｍ１に対応するＬ１評価として、教師Ｔ１の評価が５であることを示す情報（Ｔ１：５）と、生徒Ｓ１の評価が４であることを示す情報（Ｓ１：４）を記憶する。また、同時に、教師情報テーブルの教師ＩＤ情報＝Ｔ１に対応するＬ１評価として、視聴者Ｍ１による評価が５であることを示す情報（Ｍ１：５）を記憶し、生徒情報テーブルの生徒ＩＤ情報＝Ｓ１に対応するＬ１評価として、視聴者Ｍ１による評価が４であることを示す情報（Ｍ１：４）を記憶する。
【００６０】
＜運営者用端末／視聴料分配手段＞
運営者用端末２０の視聴料分配手段３０は、視聴者用端末１８から取得した評価情報に基づいて視聴料を分配するための手段であり、例えば、ＨＴＭＬを用いたプログラム（アプリケーション）などで構成される。
【００６１】
具体的には、上述の授業配信手段２６が配信した授業に対する視聴料の一部を、視聴者の教師に対する評価に基づいて教師用端末１６を使用する教師に分配するとともに、視聴者の生徒に対する評価に基づいて生徒用端末１４を使用する生徒に分配し、残りの視聴料を運営者用端末２０を管理する運営者に分配する処理を行う。なお、視聴料の分配は、電子マネーなどを教師用端末１６や生徒用端末１４に送信することによって行ってもよいし、運営者端末２０によって提供される各種サービスが利用可能なクーポンやポイントの配布により行ってもよいし、事前に登録された、教師または生徒の銀行口座にネットバンキングなどにより現金を自動的に振り込むように構成してもよい。
【００６２】
例えば、授業の視聴料をＸ円、当該授業の教師に対する評価をＹ、当該授業の生徒に対する評価をＺとした場合、教師には、Ｘ円×Ｙ×４％を分配し、生徒には、Ｘ円×Ｚ×３％を分配するように構成する。この場合、先の例では、授業Ｌ１の教師Ｔ１に対する評価が５であり、授業Ｌ１の生徒Ｓ１に対する評価が４であるため、教師には、視聴料Ｘ円×２０％（＝５×４％）を分配し、生徒には、Ｘ円×１２％（＝４×３％）を分配し、残りのＸ円×６８％（＝１００％−（２０％＋１２％））を運営者に分配する。
【００６３】
以上説明したように、本実施形態に係る授業視聴料分配システム１０は、視聴を希望する授業を視聴者に選択させるための授業選択手段（例えば、授業選択手段２４）と、前記視聴者によって選択された前記授業の映像または音声を視聴者用端末（例えば、視聴者が使用する視聴者用端末１８）に向けて配信するための授業配信手段（例えば、授業配信手段２６）と、前記視聴者による前記授業に対する評価情報を取得するための評価情報取得手段（例えば、評価情報取得手段２８）と、前記視聴者用端末から取得した前記評価情報に基づいて、前記授業に登場する（例えば、授業の映像に映っている、授業の音声に声が録音されている）教師または生徒に前記授業の視聴料を分配するための視聴料分配手段（例えば、視聴料分配手段３０）と、を有して構成され、前記視聴料分配手段は、前記視聴者の前記教師に対する評価情報（例えば、１〜１０の１０段階評価）に基づいて前記視聴料の一部（例えば、視聴料×１〜１０の評価×４％）を該教師に分配し、または、前記視聴者の前記生徒に対する評価情報（例えば、１〜１０の１０段階評価）に基づいて前記視聴料の一部（例えば、視聴料×１〜１０の評価×３％）を該生徒に分配するように構成されている、ことを特徴とする授業視聴料分配システムである。
【００６４】
本実施形態に係る授業視聴料分配システム１０によれば、システムの運営者のみならず教師や生徒に対しても視聴料を分配することが可能で、教師は品質の高い授業を提供しながらも授業料を下げて多くの授業を行うことで累計評価を上げ視聴者の信頼を高めて視聴料の分配収入を得る機会を増やすことができる。これにより生徒は高品質な授業を従来よりも安価に受けることができ、さらに視聴料の分配収入が支払った授業料を上回る場合もある。このように、教師と生徒の両方にメリットがあるため、教師や生徒の利用者数を増加させることが容易で、システムの運営者の収益をも高めることができる。
【００６５】
また、評価の高い（人気の高い）教師と評価の高い（人気の高い）生徒が登場する授業を用意することによって、授業を配信する回数を飛躍的に増大させ、教師、生徒、運営者の三者の収益を同時に高めることができる。
【００６６】
なお、教師、生徒、運営者に対する視聴料の分配比率は、上述の例に限定されず、例えば、教師または生徒の評価が所定の評価（例えば、３）よりも低い場合には配分を０にしてもよい。また、教師の評価が所定の評価（例えば、３）よりも低い場合に、教師に分配すべき視聴料を生徒に分配するように構成してもよい。例えば、教師の評価が２の場合に、先の例では、教師に分配すべき視聴料（Ｘ円×２×４％）を生徒に分配するように構成する。
【００６７】
すなわち、前記視聴料分配手段は、前記教師に対する評価情報が所定の評価情報を下回った場合（例えば、１〜１０の１０段階評価で３を下回った場合）に、前記視聴料の一部を該教師に分配せずに、該教師に対する評価情報に基づいて前記視聴料の一部を前記生徒に分配するように構成されていてもよい。
【００６８】
このような構成とすれば、第三者である視聴者による教師の評価が低い場合（例えば、第三者が教師の指導力が低いと評価した場合）に、教師に支払う予定であった視聴料を生徒に支払うことができ、生徒に授業料の一部を返金することと同等の措置を行うことができる。このため、教師が自身の評価を高めるための努力を行う結果、教師の授業の品質を高い状態に維持することができるとともに、生徒に返金を行うことで、生徒の不満を低減し、満足度を高めることができる。
【００６９】
また、前記視聴料分配手段は、前記教師または前記生徒に分配後の残りの前記視聴料を前記授業視聴料分配システムの運営者に分配するように構成されていてもよい。
【００７０】
このような構成とすれば、教師や生徒に視聴料を分配した上で運営者も利益を得ることができ、システムのサービスを高めたり、また広告に費やせば、教師と生徒への分配収入を増やす手立てとなる。
【００７１】
また、前記授業配信手段によって同一内容の前記授業が配信された場合に、該授業の配信回数をカウントする配信回数カウント手段と、前記配信回数に応じて前記分配前の視聴料の金額を段階的に上昇させる（例えば、最初の１０回の視聴料は１００円、次の１０回の視聴料は２００円、さらに次の１０回の視聴料は４００円に上昇させる）視聴料調整手段と、を備えてもよい。
【００７２】
このような構成とすれば、視聴回数が多い授業に登場する教師や生徒のインセンティブを高めることができ、授業に新たな価値を付与することができる。
【００７３】
また、前記視聴者の前記教師に対する評価情報を該教師の個人情報（例えば、氏名、住所）に対応付けして記憶する記憶手段（例えば、記憶手段２２）と、前記記憶手段に記憶された評価情報に対応する前記教師の個人情報を前記視聴者用端末（例えば、視聴者が使用する視聴者用端末１８）または前記生徒が使用する生徒用端末（例えば、生徒用端末１４）から検索することが可能な検索手段と、を備えてもよい。
【００７４】
このような構成とすれば、視聴者は評価の高い教師が行う高品質な授業だけを抽出して視聴することができ、生徒は評価の高い教師の授業だけを抽出して授業を受けることができ、視聴者と生徒の利便性を高めることができる。
【００７５】
また、前記教師または前記生徒に対する評価情報が所定の評価情報を下回った場合に、該教師が使用する教師用端末（例えば、教師用端末１６）または前記生徒が使用する生徒用端末（例えば、生徒用端末１４）に向けて警告を送信する（例えば、評価内容を知らせる表示を行わせる）警告送信手段と、該教師または生徒が登場する授業の映像または音声の配信を制限する制限手段を備えてもよい。
【００７６】
このような構成とすれば、評価の低い教師や生徒に対して注意喚起を行うことができ、教師や生徒が自身の評価を高めるための努力を行う結果、教師や生徒の授業の品質を高い状態に維持することができる。また、評価情報の低い（品質の低い）授業の配信を制限するため、視聴者に不利益が及ぶことを未然に防止することができる。
【００７７】
また、前記教師または前記生徒に対する前記視聴者の評価情報が所定の評価情報を下回った場合に、前記授業配信手段は、該教師または生徒が登場する授業の映像または音声を無償で（視聴料を徴収せずに）配信し、前記視聴料分配手段は、前記評価情報に基づいて前記教師または前記生徒に分配する視聴料を減額するように構成してもよい。
【００７８】
このような構成とすれば、教師が自身の評価を高めるための努力を行う結果、教師の授業の品質を高い状態に維持することができるとともに、生徒も自身の評価を高めるための努力を行う結果、視聴者に配信する授業内容の品質や、教師や生徒のモラルを高めることができる。
【００７９】
また、前記教師に対する評価情報が複数ある場合に、該複数の評価情報の平均値を算出し、該平均値に基づいて前記教師に分配する視聴料を決定してもよい。例えば、図２（ｂ）に示す例では、教師Ｔ１に対する授業Ｌ１の評価が複数あるため（Ｍ１：５、Ｍ２：７）、評価の平均値である６（＝（５＋７）／２）に基づいて教師Ｔ１に分配する視聴料（例えば、Ｘ円×６×５％）を決定したり、授業Ｌ１の評価（Ｍ１：５、Ｍ２：７）と授業Ｌ３の評価（Ｍ１：２、Ｍ２：２）の平均値である４（＝（５＋７＋２＋２）／４）に基づいて教師Ｔ１に分配する視聴料（例えば、Ｘ円×４×５％）を決定するように構成する。
【００８０】
このような構成とすれば、教師に対する評価の偏りを減らすことができ、適正な視聴料を教師に分配することができる。
【００８１】
また、前記教師が担当する授業の数や前記教師の評価情報の平均値などの情報を前記記憶手段（例えば、教師情報テーブル）に記憶し、これらの情報を生徒用端末（例えば、生徒が使用する生徒用端末１４）や視聴者用端末（例えば、視聴者が使用する視聴者用端末１８）から閲覧可能に構成してもよい。
【００８２】
このような構成とすれば、視聴者が視聴する授業を選択する際や、生徒が教師を選択する際の選択基準を提供することができ、視聴者や生徒に対して、より良いサービスを提供することができる。
【００８３】
また、前記教師に対する前記生徒の評価情報、または、前記生徒に対する前記教師の評価情報を前記記憶手段（例えば、前者は教師情報テーブル、後者は生徒情報テーブル）に記憶し、これらの評価情報を視聴者用端末（例えば、視聴者が使用する視聴者用端末１８）から閲覧可能に構成してもよい。
【００８４】
このような構成とすれば、視聴者が一度も視聴を行っていないような授業（視聴者による評価情報が蓄積されていない授業）について選択基準を提供することができ、視聴者に対して、より良いサービスを提供することができる。
【００８５】
また、同様に、前記生徒に対する評価情報が複数ある場合に、該複数の評価情報の平均値を算出し、該平均値に基づいて前記生徒に分配する視聴料を決定してもよい。例えば、図２（ｃ）に示す例では、生徒Ｓ２に対する授業Ｌ２の評価が複数あるため（Ｍ１：５、Ｍ２：７）、評価の平均値である６（＝（５＋７）／２）に基づいて生徒Ｓ２に分配する視聴料（例えば、Ｘ円×６×４％）を決定したり、授業Ｌ２の評価（Ｍ１：５、Ｍ２：７）と授業Ｌ３の評価（Ｍ１：４、Ｍ２：３）の平均値である４．７５（＝（５＋７＋４＋３）／４）に基づいて生徒Ｓ２に分配する視聴料（例えば、Ｘ円×４．７５×４％）を決定するように構成する。
【００８６】
このような構成とすれば、生徒に対する評価の偏りを減らすことができ、適正な視聴料を生徒に分配することができる。
【００８７】
なお、上記実施形態に記載された作用および効果は、本発明から生じる最も好適な作用および効果を列挙したに過ぎず、本発明による作用および効果は、上記実施形態に記載されたものに限定されるものではない。また、実施形態に記載した複数の構成のうち、一の構成に記載している内容を、他の構成に適用してもよい。
【産業上の利用可能性】
【００８８】
本発明に係る授業視聴料分配システムは、ｅラーニングなどのインターネットを利用した授業などに適用することができる。
【符号の説明】
【００８９】
１０  授業視聴料分配システム
１２  インターネット
１４  生徒用端末
１６  教師用端末
１８  視聴者料端末
２０  運営者用端末
２２  記憶手段
２４  授業選択手段
２６  授業配信手段
２８  評価情報取得手段
３０  視聴料分配手段
【要約】      （修正有）【課題】システムの運営者のみならず教師や生徒に対しても視聴料を分配することが可能で、教師や生徒の利用者数を容易に増加させて、システムの運営者の収益をも高めることができる授業視聴料分配システムを提供する。【解決手段】授業視聴料分配システム１０は、視聴を希望する授業を視聴者に選択させるための授業選択手段２４と、選択された前記授業の映像または音声を視聴者用端末１８に向けて配信するための授業配信手段２６と、前記視聴者による前記授業に対する評価情報を取得するための評価情報取得手段２８と、前記評価情報に基づいて、前記授業に登場する教師または生徒に前記授業の視聴料を分配するための視聴料分配手段３０と、を有し、視聴料分配手段３０は、前記視聴者の前記教師に対する評価情報に基づいて前記視聴料の一部を該教師に分配し、または、前記視聴者の前記生徒に対する評価情報に基づいて前記視聴料の一部を該生徒に分配する。【選択図】図１【図１】
0005124696.tif 000002
【図２】
0005124696.tif 000003
【図３】
0005124696.tif 000004
【図４】
0005124696.tif 000005